(57)【特許請求の範囲】
【請求項１】
少なくとも一部を透光性を有する材料で形成した天板の裏面側に照明装置を設けた洗面カウンターにおいて、天板は、上面部とその縁部から垂下した垂れ部とを透光性を有する材料で形成し、前記上面部と前記垂れ部との屈曲部の全部又は一部の肉厚を前記上面部の肉厚以下に形成してあり、照明装置は、天板の裏面側に吊下げ部材で吊り下げられた構成を備えてなる洗面カウンター。
【請求項２】
少なくとも一部を透光性を有する材料で形成した天板の裏面側に照明装置を設けた洗面カウンターにおいて、天板は、上面部とその縁部から垂下した垂れ部とを透光性を有する材料で形成し、前記上面部と前記垂れ部との屈曲部の全部又は一部の肉厚を前記上面部の肉厚以下に形成してある洗面カウンター。
【請求項３】
前記屈曲部の表面側を、前記上面部の肉厚以上の曲率半径の円弧状に形成して前記屈曲部の肉厚を前記上面部の肉厚以下にした請求項１又は２に記載の洗面カウンター。
【請求項４】
前記垂れ部を、前記上面部の縁部の全周に渡り設けた請求項１又は２に記載の洗面カウンター。
【請求項５】
前記垂れ部を、前記上面部の前縁部と両側縁部とに設けた請求項１又は２に記載の洗面カウンター。
【請求項６】
少なくとも一部を透光性を有する材料で形成した天板の裏面側に照明装置を設けた洗面カウンターにおいて、照明装置は、天板の裏面側に細長状の吊下げ部材で吊下げられた構成としてなる洗面カウンター。
【請求項７】
前記天板と前記照明装置とを、前記吊下げ部材で結合して前記天板と前記照明装置を一体に形成した請求項１又は６に記載の洗面カウンター。
【発明の詳細な説明】
【技術分野】
【０００１】
本発明は、洗面化粧台などを構成する洗面カウンターに関する。
【背景技術】
【０００２】
従来の洗面カウンターとしては、天板の少なくとも一部に透光部を形成し、該天板の下方に照明ランプを配したものが開発されており、この洗面カウンターは、照明ランプで天板を照らすことにより、天板付近の間接照明になるとともに洗面カウンターの美観を高めることができるものである（下記特許文献１参照）。
【０００３】
さらに、天板の裏面側にＬＥＤなどの光源を複数埋設させ、天板の表面に柔らかな光や淡い光などを発光させることができ、また、様々な模様や絵柄などを表示できるようにした洗面カウンターも開発されている（下記特許文献２参照）。
【先行技術文献】
【特許文献】
【０００４】
【特許文献１】実開平２−９６９７６号公報
【特許文献２】特開２００５−３４２１７９号公報
【発明の概要】
【発明が解決しようとする課題】
【０００５】
上記特許文献１又は２に記載の洗面カウンターは、天板を発光させて美観を高めることができるものであるが、天板の全面を発光させようとする場合、図１３に示すように、縁部が暗くなり、天板全面が均一な明るさで発光せず美観を損ねてしまうことがあった。
【０００６】
そこで、本発明の目的は、天板の透光させようとする全面を均一な明るさで発光させることができる洗面カウンターを提供するものである。
【課題を解決するための手段】
【０００７】
本発明の洗面カウンターは、少なくとも一部を透光性を有する材料で形成した天板の裏面側に照明装置を設けた洗面カウンターにおいて、天板は、上面部とその縁部から垂下した垂れ部とを透光性を有する材料で形成し、前記上面部と前記垂れ部との屈曲部の全部又は一部の肉厚を前記上面部の肉厚以下に形成してあり、照明装置は、天板の裏面側に吊下げ部材で吊り下げられた構成を備えてなることを特徴とする。
【０００８】
このように、垂れ部と上面部との屈曲部の肉厚を上面部の肉厚以下に形成することにより、天板の縁部が光を透過させやすくなり、縁部が暗くならず、天板を綺麗に発光させることができる。また、照明装置は、天板を明るく照らすために天板の近くに配置するのが好ましいが、そうすると、照明装置を固定する金具などが天板に映し出され、影を作ってしまうことがあった。本発明は、照明装置を細長状の吊下げ部材で吊り下げた構成としたことにより、天板に影を映し込みにくくすることができる。
【図面の簡単な説明】
【０００９】
【図１】本発明の第一実施形態の洗面カウンターを示した概略斜視図である。
【図２】図１の洗面カウンターの幅方向の断面図である。
【図３】図１の洗面カウンターの奥行き方向の断面図である。
【図４】図１の洗面カウンターの前縁部付近の拡大断面図である。
【図５】図１の洗面カウンターの構成部品である天板及び照明装置を示した幅方向の断面図である。
【図６】図１の洗面カウンターの構成部品である照明装置を示した概略斜視図である。
【図７】本発明の第二実施形態の洗面カウンターを示した概略斜視図である。
【図８】図７の洗面カウンターの前縁部付近の拡大断面図である。
【図９】図７の洗面カウンターの構成部品であるキャビネット、照明装置及び吊下げ部材を示した概略斜視図である。
【図１０】図７の洗面カウンターの構成部品である照明装置及びキャビネットを示した概略斜視図である。
【図１１】本発明の第三実施形態の洗面カウンターを示した概略斜視図である。
【図１２】本発明の第四実施形態の洗面カウンターを示した概略斜視図である。
【図１３】従来の洗面カウンターの一例において、天板を発光させた状態を示した斜視図である。
【発明を実施するための形態】
【００１０】
以下、本発明の洗面カウンターの好適な実施形態を、図面に基づいて説明する。
【００１１】
本発明の第一実施形態の洗面カウンター１は、図１〜図３に示すように、天板２と、その下方に設けた照明装置３と、天板２を支持するキャビネット４とを主な構成として備えている。
【００１２】
天板２は、横長長方形板状の上面部２１と、その周縁部から垂下した垂れ部２２とを備え、上面部２１の中央付近には、曲面状に凹陥させた洗面ボウル２３が形成してある。図４に示すように、上面部２１と垂れ部２２との屈曲部２４は、天板２の全周に渡り表面側を円弧状乃至湾曲状に形成し、屈曲部２４の肉厚ｔａが上面部２１の肉厚ｔ１以下になるように形成してある。屈曲部２４の肉厚ｔａを上面部２１の肉厚ｔ１以下にするには、屈曲部２４の表面側を、上面部２１の肉厚ｔ１と同じ半径或いはこれ以上の半径の円弧状に形成することが好ましい。本発明では、屈曲部での一番厚い部分の肉厚を、上面部の肉厚以下に形成してあればよい。
垂れ部２２の肉厚は、上面部２１の肉厚と同じにしてある。
【００１３】
天板２は、透光性を有する材料で形成してあり、例えば、ポリエステル樹脂、アクリル樹脂、エポキシ樹脂などの合成樹脂や人造大理石、ガラスなどで形成することができ、特に限定するものではないが、白色乃至乳白色などのものを用いるのが好ましい。
【００１４】
天板２の垂れ部２２の下端部には、図５に示すように、断面Ｌ字状の保持部２８が形成してあり、保持部２８の適宜位置には孔２９が形成してある。
【００１５】
照明装置３は、上面が略均一な明るさで面発光でき、図２又は図３に示すように、天板２の下方に略水平に配して天板２を裏面側から照射できるようにしてある。
照明装置３は、図６に示すように、横長長方形状に形成してあり、後端側に洗面ボウル２３の排水口２６に連結した排水パイプ２７を避ける矩形状の切り欠き部３１を形成した箱体３２とそれを被覆する蓋材３４とから形成してある。箱体３２内には、複数の白色等のＬＥＤなどを並べた発光体３３を適宜数、適宜位置に配してある。蓋材３４は、透光性を有する板材で形成してあり、乳白色などのアクリル樹脂等で形成することができる。
照明装置３の両側端面の四隅付近には、一端を環状にした保持部材３５が取り付けてあり、ここに後述する吊下げ部材５の一端を結合し、その他端を天板２の保持部２８の孔部２９に結合して照明装置３を天板２に取り付け、これらを一体的に形成することができる。
【００１６】
キャビネット４は、図１〜図３に示すように、収納部になるとともに上方に天板２を取り付けることができるものである。キャビネット４は、前側上部に配した幕板４１と、両側面板４２と、背面板４３と、底板４４とを備えており、幕板４１の下方を観音開きする扉部４５とし、この内部を収納部として活用することができるようにしてある。
【００１７】
吊下げ部材５は、細長状で強度があり、直径又は幅が５ｍｍ以下、好ましくは１ｍｍ以下、特に好ましくは０．５ｍｍ以下の線状、鎖状、帯状のものが好ましく用いることができ、例えば、ワイヤー、鎖、帯体などを用いることができる。
【００１８】
天板２及び照明装置３を、キャビネット４に取り付けるには、吊下げ部材５を介して一体的に形成した天板２及び照明装置３を、照明装置３がキャビネット４内に納まるようにしつつ、保持部２８がキャビネット４の上端部側に嵌め合わさるようにして取り付けることができる。この際、キャビネット４の上端部に接着剤を塗布したり、キャビネット４内側からねじなどの締結部材を、保持部２８を通して締結させたりしておけば、天板２をキャビネット４に固定することができる。
【００１９】
このような洗面カウンター１は、照明装置３を発光させることにより、光が天板２を透過し、天板２が発光しているように見せることができ、しかも、天板２の屈曲部２４の肉厚を上面部２１の肉厚以下にしたため、縁部が暗くならず、天板２の全面を綺麗に発光させることができる。また、照明装置３を天板２に細長状の吊下げ部材５で取り付けてあるので、天板２に吊下げ部材５の影を映すことなく発光させることができる。さらには、天板２と照明装置３とを一体的に形成してあるので、これらをキャビネット４に取り付けるのが容易になるものである。
【００２０】
次に、本発明の第二実施形態の洗面カウンター１ａについて説明する。
なお、照明装置及び吊下げ部材は、上記形態で示したものと同様な構成のものを用いることができ、以下説明するにあたり、これらは上記と同じ符号、同じ名称を用い、詳細な説明は省略する。
【００２１】
本発明の第二実施形態の洗面カウンター１ａは、図７に示すように、天板２ａと、その下方に設けた照明装置３と、天板２ａを支持するキャビネット４ａとを主な構成として備えている。
【００２２】
天板２ａは、横長長方形板状の上面部２１ａと、その周縁部から垂下した垂れ部２２とを備え、上面部２１ａの中央付近には、曲面状に凹陥させた洗面ボウル２３ａが形成してある。図８に示すように、天板２ａの前縁部の上面部２１ａと垂れ部２２ａとの屈曲部２４ａは、表面側を傾斜面とし、屈曲部２４ａの肉厚ｔｂを上面部２１ａの肉厚ｔ１以下になるように形成してある。
なお、側縁部及び後縁部の屈曲部は、表面側を直角状に形成してあり、垂れ部２２ａの肉厚は、上面部２１ａの肉厚と同じにしてある。
【００２３】
天板２ａは、上記第一実施形態の天板２と同様の材料で形成することができる。
【００２４】
キャビネット４ａは、収納部になるとともに上方に天板２ａを取り付けることができるものである。キャビネット４ａは、図９又は図１０に示すように、前側上部に配した幕板４１ａと、両側面板４２ａと、背面板４３ａと、底板４４ａとを備えており、幕板４１ａの下方を開閉可能な扉部４５ａとし、この内部を収納部として活用することができるようにしてある。
キャビネット４ａは、図９に示すように、上端部側に断面略逆Ｌ字状の矩形状枠体４６ａが嵌め込まれており、その枠体４６ａの適宜位置に設けた孔部４７ａには、一端を環状に形成した保持部材４８ａが取り付けてある。
【００２５】
照明装置３は、図１０に示すように、キャビネット４ａに取り付けることができ、吊下げ部材５の一端を保持部材４８ａに結合し、他端を照明装置３の保持部材３５に結合して照明装置３をキャビネット４ａに取り付けることができる。
【００２６】
天板２ａを、キャビネット４ａに取り付けるには、天板２ａの垂れ部２２ａの下端部をキャビネット４ａの上端部に合わせて取り付けることができる。この際、キャビネット４ａの上端部に接着剤を塗布しておけば、天板２を固定することができる。
【００２７】
洗面カウンター１ａは、両側方及び後方が壁などに囲まれた箇所に配するのに適しているものである。
洗面カウンター１ａは、天板２ａの前縁部の屈曲部２４ａの肉厚を上面部２１ａの肉厚以下にしたため、前縁部が暗くならず、天板２ａを綺麗に発光させることができる。また、照明装置３をキャビネット４ａに吊下げ部材５で取り付けてあるので、天板２ａに吊下げ部材５の影を映すことなく発光させることができる。
【００２８】
次に、本発明の第三実施形態の洗面カウンター１ｂについて説明する。
なお、吊下げ部材は、上記第一形態で示したものと同様な構成のものを用いることができ、また、照明装置は第一形態で示したものに対して保持部材３５を前端面及び後端面に取り付けた以外は同一構成であり、以下説明するにあたり、これらは上記と同じ符号、同じ名称を用い、詳細な説明は省略する。
【００２９】
本発明の第三実施形態の洗面カウンター１ｂは、図１１に示すように、天板２ｂと、その下方に設けた照明装置３と、天板２ｂを支持するキャビネット４ｂとを主な構成として備えている。
【００３０】
天板２ｂは、横長長尺板状の上面部２１ｂと、その周縁部から垂下した垂れ部２２ｂとを備え、上面部２１ｂには、横方向に複数の洗面ボウル２３ｂが形成してあり、天板２ｂの前縁部及び両側縁部の屈曲部２４ｂの表面側を円弧状乃至湾曲状に形成し、この部分の肉厚を天板２ｂの上面部２１ｂの肉厚以下に形成してある。
なお、後縁部の屈曲部は、表面側を直角状に形成してあり、垂れ部２２ｂの肉厚は、上面部２１ｂの肉厚と同じにしてある。
【００３１】
天板２ｂは、上記第一実施形態の天板２と同様の材料で形成することができる。
【００３２】
キャビネット４ｂは、収納部になるとともに上方に天板２ｂを取り付けることができるものである。キャビネット４ｂは、天板２ｂの前側上部に配した幕板４１ｂと、両側面板４２ｂと、背面板４３ｂと、底板４４ｂとを備えており、幕板４１ｂの下方を開放させてあり、この内部を収納部として活用することができるようにしてある。
キャビネット４ｂは、図１１に示すように、幕板４１ｂ及び背面板４３ｂの内面側に上端部に沿いねじなどの保持部材４５ｂが複数取り付けてあり、吊下げ部材５の一端を保持部材４５ｂに結合し、他端を照明装置３の保持部材３５に結合して複数の照明装置３をキャビネット４ｂに取り付けることができる。
この際、洗面ボウル２３ｂの略真下に照明装置３が配されるようにするのが好ましい。
【００３３】
天板２ｂを、キャビネット４ｂに取り付けるには、天板２ｂの垂れ部２２ｂの下端部をキャビネット４ｂの上端部に合わせて取り付けることができる。この際、キャビネット４ｂの上端部に接着剤を塗布しておけば、天板２ｂを強固に固定することができる。
【００３４】
洗面カウンター１ｂは、後方に壁などがある箇所に配するのに適しているものである。
洗面カウンター１ｂは、天板２ｂの前縁部及び側縁部の屈曲部２４ｂの肉厚を上面部２１ｂの肉厚以下にしたため、前縁部及び側縁部が暗くならず、横長長尺状の天板２ｂを綺麗に発光させることができる。また、複数の照明装置３をキャビネット４ｂに細長状の吊下げ部材５で取り付けてあるので、天板２ｂに吊下げ部材５の影を映すことなく発光させることができる。
【００３５】
次に、本発明の第四実施形態の洗面カウンター１ｃについて説明する。
なお、照明装置、吊下げ部材及びキャビネットは、上記第一形態で示したものと同様な構成のものを用いることができ、以下説明するにあたり、これらは上記と同じ符号、同じ名称を用い、詳細な説明は省略する。
【００３６】
本発明の第四実施形態の洗面カウンター１ｃは、図１２に示すように、天板２ｃと、その下方に設けた照明装置３と、天板２ｃを支持するキャビネット４とを主な構成として備えている。
【００３７】
天板２ｃは、上段部２５ｃと下段部２６ｃとから形成され、上段部２５ｃは、横長長方形状の上面部２１ｃと、その周縁部から垂下した垂れ部２２ｃとを備え、上面部２１ｃの中央付近には曲面状に凹ませた洗面ボウル２３ｃが形成してある。下段部２６ｃは、垂れ部２２ｃの下端部から水平方向に延び、上面部２１ｃよりも一回り大きい横長長方形状とした平面部２７ｃと、その周縁部から垂下した垂下部２８ｃとを備えている。
上面部２１ｃは、前縁部及び両側縁部側の垂れ部２２ｃとの屈曲部２４ｃを、表面側を円弧状乃至湾曲状に形成し、この部分の肉厚を上面部２１ｃの肉厚以下に形成してある。
なお、上面部２１ｃの後縁部の屈曲部は、表面側を直角状に形成してあり、垂れ部２２ｃの肉厚は、上面部２１ｃの肉厚と同じにしてある。
【００３８】
上段部２５ｃは、上記第一実施形態の天板２と同様の材料で形成してあり、下段部２６ｃは、透光性を有しない材料で形成してある。
【００３９】
天板２ｃを、キャビネット４に取り付けるには、下段部２６ｃの垂れ部２８ｃの下端部をキャビネット４の上端部に合わせて取り付けることができる。この際、キャビネット４の上端部に接着剤を塗布しておけば、天板２ｃを強固に固定することができる。
【００４０】
洗面カウンター１ｃは、後方に壁などがある箇所に配するのに適しているものである。
洗面カウンター１ｃは、上面部２１ｃの前縁部及び側縁部の屈曲部２４ｃの肉厚を上面部２１ｃの肉厚以下にしたため、前縁部及び側縁部が暗くならず、天板２ｃの上段部２５ｃのみを綺麗に発光させることができる。
【００４１】
上記実施形態の構成態様は、本発明を限定するものとして挙げたものではなく、技術目的を共通にするかぎり変更は可能であり、本発明はそのような変更を含むものである。
【符号の説明】
【００４２】
１，１ａ，１ｂ，１ｃ  洗面カウンター
２，２ａ，２ｂ，２ｃ  カウンター
２１，２１ａ，２１ｂ，２１ｃ  上面部
２２，２２ａ，２２ｂ，２２ｃ  垂れ部
２４，２４ａ，２４ｂ，２４ｃ  屈曲部
３  照明装置
４，４ａ，４ｂ  キャビネット
５  吊下げ部材
【図１】
0005491121.tif 000002
【図２】
0005491121.tif 000003
【図３】
0005491121.tif 000004
【図４】
0005491121.tif 000005
【図５】
0005491121.tif 000006
【図６】
0005491121.tif 000007
【図７】
0005491121.tif 000008
【図８】
0005491121.tif 000009
【図９】
0005491121.tif 000010
【図１０】
0005491121.tif 000011
【図１１】
0005491121.tif 000012
【図１２】
0005491121.tif 000013
【図１３】
0005491121.tif 000014